(57)【要約】  【課題】      内装材や天井フレームを傷付けることなく、車両の天井フレームに車載用モニターを簡単かつ強固に取り付ける。  【解決手段】  車載用モニターの取付構造１０は、２つの開口部１８を有する車両の天井フレームに車載用モニターを取り付けるためのものであり、天井フレームの背面側に配設され、一端が一方の開口部１８またはその近傍に固定され、他端が他方の開口部１８またはその近傍に固定された取付プレート２８と、一方の開口部１８において取付プレート２８に直接的または間接的に固定されたモニター用取付金具３２とを備える。開口部１８は、ルームランプやサングラスホルダー等のような内装設備２０を配設するために予め設けられているため、車載用モニターを取り付けるためだけに新たに開口部１８を形成する必要はない。【選択図】      図２
2005313824.tif 000002
【特許請求の範囲】
【請求項１】
２つの開口部を有する車両の天井フレームに車載用モニターを取り付けるための車載用モニターの取付構造であって、
前記天井フレームの背面側に配設され、一端が一方の前記開口部またはその近傍に固定され、他端が他方の前記開口部またはその近傍に固定された取付プレート、および
いずれか一方の前記開口部において前記取付プレートに直接的または間接的に固定されたモニター用取付金具を備える、車載用モニターの取付構造。
【請求項２】
一方の前記開口部において前記取付プレートに固定された取付基台を備え、前記取付基台を介して前記取付プレートに前記モニター用取付金具が間接的に固定された、請求項１に記載の車載用モニターの取付構造。
【請求項３】
前記モニター用取付金具が配設された前記開口部を覆うとともに内装設備が取り付けられるカバーを備える、請求項１または２に記載の車載用モニターの取付構造。
【請求項４】
２つの開口部を有する車両の天井フレームに車載用モニターを取り付けるための車載用モニターの取付方法であって、
（ａ）前記開口部に取り付けられた既設の内装設備を取り外し、
（ｂ）いずれか一方の前記開口部から前記天井フレームの背面側に取付プレートを挿入し、
（ｃ）前記取付プレートの一端を一方の前記開口部またはその近傍に固定するとともに、他端を他方の前記開口部またはその近傍に固定し、
（ｄ）いずれか一方の前記開口部において前記取付プレートに直接的または間接的にモニター用取付金具を固定し、
（ｅ）前記モニター用取付金具に車載用モニターを取り付ける、車載用モニターの取付方法。
【発明の詳細な説明】
【技術分野】
【０００１】
本発明は、車載用モニターを車室の天井に取り付けるのに用いられる、車載用モニターの取付構造および取付方法に関する。
【背景技術】
【０００２】
従来の車載用モニターの取付構造の一例が、特開２００２−２４０６４２号公報（特許文献１）に開示されている。この従来技術は、自動車のルーフパネルに設けられたクロスリブに取り付けられる取付手段と、取付手段に固定されるケース本体とによって構成されており、取付手段をクロスリブに取り付ける際には、天井面を構成する内装材の表面からその裏側にあるクロスリブを探し出し、内装材の一部を切り取ることによってクロスリブを露出させ、その露出部分に取付手段をネジ止めしていた。
【特許文献１】特開２００２−２４０６４２号公報
【発明の開示】
【発明が解決しようとする課題】
【０００３】
従来の車載用モニターの取付構造（特許文献１）を構成する際には、内装材の一部を切り取ったり、クロスリブにネジ孔を設けたりする必要があったので、車載用モニターの取付作業が面倒であるという問題があった。また、内装材やクロスリブを傷付けることになるため、車両の持ち主に嫌がられることが多く、このことが普及の妨げになっていた。
【０００４】
それゆえに、本発明の目的は、内装材やクロスリブ等を傷付けることなく簡単に取り付けることができる車載用モニターの取付構造および取付方法を提供することである。
【課題を解決するための手段】
【０００５】
請求項１に記載した発明は、「２つの開口部１８を有する車両の天井フレームに車載用モニター１２を取り付けるための車載用モニターの取付構造１０であって、天井フレームの背面側に配設され、一端が一方の開口部１８またはその近傍に固定され、他端が他方の開口部１８またはその近傍に固定された取付プレート２８、およびいずれか一方の開口部１８において取付プレート２８に直接的または間接的に固定されたモニター用取付金具３２を備える、車載用モニターの取付構造１０」である。
【０００６】
この発明では、取付プレート２８の一端が一方の開口部１８またはその近傍に固定され、他端が他方の開口部１８またはその近傍に固定されるので、天井フレームに対して取付プレート２８を少なくとも２箇所において強固に固定することができる。また、一般に、開口部１８の近傍には内装設備（ルームランプ、サングラスホルダー等）２０を取り付けるためのネジ孔２２等が形成されているので、このネジ孔２２等をそのまま利用して取付プレート２８を固定することができる。
【０００７】
請求項２に記載した発明は、請求項１に記載した「車載用モニターの取付構造１０」において、「一方の開口部１８において取付プレート２８に固定された取付基台３０を備え、取付基台３０を介して取付プレート２８にモニター用取付金具３２が間接的に固定された」ことを特徴とする。
【０００８】
この発明では、モニター用取付金具３２を、取付基台３０を介して取付プレート２８に固定するようにしているで、取付基台３０の形状や大きさを変更することによって、モニター用取付金具３２の位置を変更することができる。
【０００９】
請求項３に記載した発明は、請求項１または２に記載した「車載用モニターの取付構造１０」において、「モニター用取付金具３２が配設された開口部１８を覆うとともに内装設備２０が取り付けられるカバー３４を備える」ことを特徴とする。
【００１０】
この発明では、カバー３４によって開口部１８を覆い隠すことができるので、装飾性を高めることができる。また、開口部１８に配設されていた既設の内装設備（ルームランプ等）２０をカバー３４に取り付けることができるので、既設の内装設備２０とモニター用取付金具３２とを併設することができる。
【００１１】
請求項４に記載した発明は、「２つの開口部１８を有する車両の天井フレームに車載用モニター１２を取り付けるための車載用モニター１２の取付方法であって、（ａ）開口部１８に取り付けられた既設の内装設備２０を取り外し、（ｂ）いずれか一方の開口部１８から天井フレームの背面側に取付プレート２８を挿入し、（ｃ）取付プレート２８の一端を一方の開口部１８またはその近傍に固定するとともに、他端を他方の開口部１８またはその近傍に固定し、（ｄ）いずれか一方の開口部１８において取付プレート２８に直接的または間接的にモニター用取付金具３２を固定し、（ｅ）モニター用取付金具３２に車載用モニター１２を取り付ける、車載用モニター１２の取付方法」である。
【００１２】
この発明では、既設の内装設備２０が配設されていた開口部１８を利用して取付プレート２８を配設することができるので、モニター用取付金具３２を配設するための開口部１８を新たに形成する必要はない。
【発明の効果】
【００１３】
本発明によれば、車両の天井フレームに設けられた既設の２つの開口部を利用して、天井フレームに対して取付プレートを強固に固定することができ、一方の開口部において、取付プレートにモニター用取付金具を固定することができる。したがって、開口部を新たに形成したり、内装材の一部を切り取ったりすることなく、天井フレームに車載用モニターを簡単に取り付けることができる。
【発明を実施するための最良の形態】
【００１４】
図１および図２を参照して、本発明が適用された車載用モニターの取付構造１０は、図３に示すように、車載用モニター１２を車室Ｒの天井１４に取り付けるためのものである。
【００１５】
ここで、天井１４は、車両のルーフパネルから所定間隔を隔てて配設された天井フレーム（図示省略）と、天井フレームの室内側の面に取り付けられた内装材１６とによって構成されており、天井フレームには、少なくとも２つの開口部１８（図９）が形成されており、開口部１８の近傍には、サングラスホルダーやルームランプ等の内装設備２０を取り付けるためのネジ孔２２（図９）や孔２４（図１１）等が形成されている。また、内装材１６における開口部１８と対応する箇所には、孔２６（図９）が形成されている。そして、各開口部１８には、内装設備（サングラスホルダー、ルームランプ）２０が配設されている。
【００１６】
車載用モニターの取付構造１０は、図１および図２に示すように、天井フレームに固定された取付プレート２８と、取付プレート２８に固定された取付基台３０と、取付基台３０に固定されたモニター用取付金具３２と、開口部１８を覆うとともに、内装設備（ルームランプ）２０が取り付けられたカバー３４とによって構成されている。
【００１７】
取付プレート２８は、図４および図５に示すように、天井フレームに沿って屈曲または湾曲された板状部材であり、鉄等のような高剛性材料で形成されている。取付プレート２８の幅は、いずれか一方の開口部１８の幅よりも狭く設定されており、取付プレート２８の長さは、２つの開口部１８間の距離とほぼ同じ長さに設定されている。そして、取付プレート２８の長手方向の一方端部には、一方の開口部１８の近傍に形成された孔２４（図１１）に係止されるフック状の係止部２８ａと、天井フレームの開口部１８に対応する窓２８ｂと、取付基台３０を固定するための複数の雄ネジ部２８ｃと、内装設備（ルームランプ）２０を固定するための複数のネジ孔２８ｄとが形成されており、他方端部には、他方の開口部１８の近傍に形成されたネジ孔２２に対応する２つの孔２８ｅが形成されている。さらに、取付プレート２８の所定箇所には、軽量化を図るための孔２８ｆが形成されている。
【００１８】
取付基台３０は、図６に示すように、取付プレート２８に固定される座部３６と、座部３６の下面に形成された高さ調整部３８とによって構成されており、座部３６には、取付プレート２８の窓２８ｂに対応する窓３６ａが形成されている。そして、座部３６における窓３６ａの周囲には、取付プレート２８の雄ネジ部２８ｃが挿通される複数の孔３６ｂが形成されており、窓３６ａの内周部には、ルーフパネルの下面に当接する略Ｌ状の当接部３６ｃが上方へ突出して形成されている。また、高さ調整部３８の下面には、モニター用取付金具３２を固定するための複数のネジ孔３８ａと、モニター用取付金具３２の係止ピン４０ｂ（図７）が嵌合される係止孔３８ｂとが形成されている。
【００１９】
モニター用取付金具３２は、図７に示すように、取付基台３０の高さ調整部３８（図６）に固定される左右一対の座部４０と、各座部４０に個別に固着された回動軸４２と、回動軸４２に回動自在に取り付けられた本体部４４とによって構成されており、各座部４０には、取付基台３０のネジ孔３８ａに対応する孔４０ａと、係止孔３８ｂに嵌合される係止ピン４０ｂとが形成されている。本体部４４は、各回動軸４２を挟持するＵ状の挟持部４４ａを有する板状部材であり、本体部４４には、挟持部４４ａの挟持力を調整するための調整手段４６と、車載用モニター１２を取り付けるための取付手段４８とが取り付けられている。
【００２０】
調整手段４６は、挟持部４４ａに形成された孔に挿通された雄ネジ部４６ａと、雄ネジ部４６ａに螺合された雌ネジ部４６ｂとによって構成されており、雌ネジ部４６ｂに対する雄ネジ部４６ａのねじ込み量を調整することによって、挟持部４４ａの挟持力が調整される。取付手段４８は、本体部４４に形成された孔に挿通された雄ネジ部４８ａと、雄ネジ部４８ａに螺合された雌ネジ部４８ｂとによって構成されており、雄ネジ部４８ａの先端部には、車載用モニター１２の背面に形成された溝（図示省略）に嵌め込まれる固定プレート４８ｃが形成されている。
【００２１】
カバー３４は、開口部１８および取付基台３０を覆うとともに、開口部１８に取り付けられていた既設の内装設備（ルームランプ）２０が取り付けられるものであり、図２および図８に示すように、モニター用取付金具３２と共に取付基台３０にネジ止めされるモニター取付部３４ａと、内装設備（ルームランプ）２０が配設される窓３４ｂを有する設備取付部３４ｃとを備えている。そして、モニター取付部３４ａには、モニター用取付金具３２の孔４０ａおよび係止ピン４０ｂに対応する孔３４ｄおよび３４ｅと、モニター用の電源ケーブル１２ａが挿通される孔３４ｆとが形成されており、窓３４ｂの内周部には、内装設備（ルームランプ）２０の外周部が当接される当接部３４ｇが形成されている。
【００２２】
そして、取付プレート２８、取付基台３０、モニター用取付金具３２およびカバー３４が所定の手順で組み合わされることによって、車載用モニターの取付構造１０が構成される。
【００２３】
以下には、本発明が適用された「車載用モニターの取付方法」について説明する。車載用モニター１２を天井フレームに取り付ける際には、まず、図９に示すように、（ａ）開口部１８に取り付けられた既設の内装設備（ルームランプ、サングラスホルダー等）２０を取り外すことによって、天井フレームの開口部１８を露出させる。続いて、図１０に示すように、（ｂ）いずれか一方の開口部１８から天井フレームの背面側に取付プレート２８を挿入し、図１１に示すように、（ｃ）取付プレート２８の一端を一方の開口部１８の近傍に固定するとともに、他端を他方の開口部１８の近傍に位置決めする。すなわち、取付プレート２８の一端に形成された係止部２８ａを天井フレームに形成された孔２４に係止させ、取付プレート２８の他端に形成された孔２８ｅを天井フレームに形成されたネジ孔２２に位置決めする。このとき、取付プレート２８の幅は、開口部１８の幅よりも狭く設定されているので、取付プレート２８の開口部１８への挿入作業は容易である。
【００２４】
取付プレート２８の位置決め作業が完了すると、図１２に示すように、取付プレート２８の一端に形成された雄ネジ部２８ｃを取付基台３０に形成された孔３６ｂに挿通し、この雄ネジ部２８ｃにナット５０を螺合することによって、取付プレート２８に取付基台３０を固定する。また、内装設備（サングラスホルダー）２０に形成された孔２０ａと取付プレート２８の他端に形成された孔２８ｅとにネジ５２を挿通し、これを天井フレームに形成されたネジ孔２２に螺合することによって、内装設備（サングラスホルダー）２０と取付プレート２８の他端とを天井フレームに固定する。
【００２５】
取付基台３０を取付プレート２８に固定した状態では、取付基台３０の略Ｌ状の当接部３６ｃがルーフパネルの下面に当接され、この当接部３６ｃが突っ張る力によって取付基台３０のがたつきが防止される。なお、取付基台３０のがたつきをより有効に防止するために、当接部３６ｃの当接面にクッション性を有する粘着テープを張り付けるようにしてもよい。
【００２６】
取付基台３０の固定作業が完了すると、図２に示すように、（ｄ）一方の開口部１８において取付プレート２８に取付基台３０を介してモニター用取付金具３２を固定する。つまり、取付プレート２８に固定された取付基台３０にモニター用取付金具３２をネジ５４で固定する。このとき、取付基台３０とモニター用取付金具３２との間にカバー３４を介在させ、このカバー３４をモニター用取付金具３２と共に取付基台３０に固定する。また、カバー３４の窓３４ｂ内に内装設備（ルームランプ）２０を配置し、内装設備（ルームランプ）２０に形成された孔２０ａにネジ５６を挿通し、これを取付プレート２８に形成されたネジ孔２８ｄに螺合することによって、内装設備（ルームランプ）２０とカバー３４とを取付プレート２８に固定する。
【００２７】
モニター用取付金具３２の固定作業が完了すると、図３に示すように、（ｅ）モニター用取付金具３２に車載用モニター１２を取り付ける。すなわち、モニター用取付金具３２の取付手段４８に設けらたれ固定プレート４８ｃ（図７）を車載用モニター１２の背面に形成された溝（図示省略）に嵌め込み、雌ネジ部４８ｂ（図７）を締め付け方向へ回す。すると、固定プレート４８ｃと本体部４４とによって溝の側壁が挟持され、モニター用取付金具３２に対して車載用モニター１２が固定される。
【００２８】
この実施例によれば、天井フレームや内装材１６を一切傷付けることなく、車載用モニター１２を天井フレームへ簡単かつ強固に取り付けることができる。
【００２９】
なお、上述の実施例では、モニター用取付金具３２を、取付基台３０を介して取付プレート２８に間接的に固定するようにしているが、取付基台３０を介することなく、直接的に固定するようにしてもよい。
【００３０】
また、上述の実施例では、取付プレート２８の一端（係止部２８ａ）を開口部１８の近傍に形成された孔２４に係止するようにしているが、取付プレート２８の一端を開口部１８の内周縁に係止するようにしてもよいし、取付プレート２８の一端をネジ等によって開口部１８の近傍に固定するようにしてもよい。さらに、取付プレート２８の他端に係止部を形成し、この係止部を開口部１８の内周縁または開口部１８の近傍に形成された孔に係止するようにしてもよい。
【００３１】
さらに、上述の実施例では、サングラスホルダーやルームランプを内装設備２０として用いた場合を示したが、空調設備の噴出口や音響設備のスピーカ等を内装設備２０として用いるようにしてもよい。
【図面の簡単な説明】
【００３２】
【図１】車載用モニターの取付構造を示す斜視図である。
【図２】車載用モニターの取付構造を示す分解斜視図である。
【図３】車載用モニターの取付構造を示す側面図である。
【図４】取付プレートを示す斜視図である。
【図５】取付プレートを示す部分拡大斜視図である。
【図６】取付基台を示す斜視図である。
【図７】モニター用取付金具を示す斜視図である。
【図８】カバーを示す斜視図である。
【図９】既設の内装設備を取り外す工程を示す斜視図である。
【図１０】取付プレートを挿入する工程を示す斜視図である。
【図１１】取付プレートの一端を固定する工程を示す斜視図である。
【図１２】取付基台を取付プレートに固定する工程を示す斜視図である。
【符号の説明】
【００３３】
１０…  車載用モニターの取付構造
１２…  車載用モニター
１６…  内装材
１８…  開口部
２０…  内装設備
２２…  ネジ孔
２８…  取付プレート
３０…  取付基台
３２…  モニター用取付金具
３４…  カバー
【図１】
2005313824.tif 000003
【図２】
2005313824.tif 000004
【図３】
2005313824.tif 000005
【図４】
2005313824.tif 000006
【図５】
2005313824.tif 000007
【図６】
2005313824.tif 000008
【図７】
2005313824.tif 000009
【図８】
2005313824.tif 000010
【図９】
2005313824.tif 000011
【図１０】
2005313824.tif 000012
【図１１】
2005313824.tif 000013
【図１２】
2005313824.tif 000014